(57)【要約】【課題】人為的な力を用いなくても均一に維持される打撃力で所望の化粧部位に化粧品を均一で迅速に定着させることができる電動パフを提供する。【解決手段】内部中央部のモータ収納部、及び上部及び下部の支持ブラケット収納部及び乾電池収納部を有し、内部上端部に一対の支持ピン支持片が設けられたケースと、前記ケースのモータ収納部に装着される電動モータと、前記ケースの乾電池収納部に装着され、電動モータに電源を供給する電源と、前記電動モータの回転軸に連結され、前記電動モータの回転運動を線形振動運動に変換するための手段と、中央部外周両側に、前記ケースの支持ピン支持片に支持される支持ピンが設けられ、前記変換手段により前記支持ピンを中心に線形シーソー運動する作動軸と、前面にパフ板が付着されたヘッド部の下部に、前記作動軸に着脱自在に結合される接続管部を有するパフヘッドとを含んでなる。【選択図】      図２
2006034942.tif 000002
【特許請求の範囲】
【請求項１】
手で握られる柄形に形成され、内部中央部にモータ収納部が設けられ、その上部及び下部に支持ブラケット収納部及び電源収納部が設けられ、内部上端部に一対の支持ピン支持片が設けられたケースと、
前記ケースのモータ収納部に装着される電動モータと、
前記ケースの電源収納部に装着され、電動モータに電源を供給する電源と、
前記電動モータの回転軸に連結され、前記電動モータの回転運動を線形振動運動に変換するための手段と、
中央部外周両側に、前記ケースの支持ピン支持片に支持される支持ピンが設けられ、前記変換手段により前記支持ピンを中心に線形シーソー運動する作動軸と、
前面にパフ板が付着されたヘッド部の下部に、前記作動軸に着脱自在に結合される接続管部を有するパフヘッドとを含んでなることを特徴とする電動パフ。
【請求項２】
前記変換手段は、前記電動モータの回転軸に結合される駆動ギヤと、前記駆動ギヤの一側と噛み合い、駆動ギヤの回転軸方向を９０°だけ変換させ、内側面に、作動軸と結合されるカム軸が設けられ、回転中心ピンを中心に回転する回転軸角度変換ギヤと、前記作動軸の下端部に形成され、前記回転軸角度変換ギヤのカム軸が通過する連結長孔と、前記ケースの支持ブラケット収納部に装着され、回転軸角度変換ギヤを支持する支持ブラケットとからなることを特徴とする請求項１に記載の電動パフ。
【請求項３】
前記変換手段は、前記作動軸の下端部に形成される溝と、前記溝と前記電動モータの回転軸間に設けられ、前記電動モータの回転により前記作動軸を線形に振動させる偏心部材とからなることを特徴とする請求項１に記載の電動パフ。
【請求項４】
前記偏心部材は、前記電動モータの回転軸に結合される軸結合部と、前記軸結合部に伝達された電動モータの回転力により偏心状態で回転しながら前記溝の内側面に沿って運動して前記作動軸を線形にシーソー運動させる偏心軸とを含むことを特徴とする請求項１に記載の電動パフ。
【発明の詳細な説明】
【技術分野】
【０００１】
本発明はパウダー型化粧品、ジェリー型化粧品、クリーム型化粧品などの各種化粧品を顔面などの身体の化粧所望部位に迅速で簡便に定着させる電動パフに係り、より詳しくはケース内部に取り付けられた電動モータの回転軸とパフ板が連結される作動軸を運動変換手段（又は偏心部材）で連結することで、電動モータの駆動の際、パフ板が前後方向に振動するようにした電動パフに関するものである。
【背景技術】
【０００２】
周知のように、化粧品を用いて顔面などの身体部位の化粧を行うとき、手、又はブラシ、ペンシル、パフなどの各種化粧道具を使用することになる。特に、ファンデーションなどのパウダー型化粧品を化粧部位に均一に定着させるときは、小さな板状のパフを使用するのが普通である。
前記のようなパフは、主に、化粧品ケース内に内蔵できるよう、化粧品ケースと対応する形状の円盤状又は四角板状に形成され、指が差し込まれる指挿入バンドが一側面に設けられた形態を有する。
したがって、前記パフを使用するときは、指挿入バンドと一側面間に指を差し込んでパフを支持した後、化粧品が付いた他側面で所望の化粧部位を適切な打撃力で叩くと、パフから離脱する化粧品が身体部位に定着することになる。
前記手動型パフを使用して化粧を行うに際しては、化粧品が付いた一側面を所望の化粧部位に当てて人為的に叩くため、化粧作業が極めて煩雑になるだけでなく、パフの打撃力を一様にすることが難しいため、化粧部位全般にわたって化粧品が均等に定着されない問題点がある。
【発明の開示】
【発明が解決しようとする課題】
【０００３】
したがって、本発明はこのような従来の手動型パフの諸般欠点に鑑みてなされたもので、その目的は、人為的な力を用いなくても均一に維持される打撃力で所望の化粧部位に化粧品を均一で迅速に定着させることができる電動パフを提供することにある。
【課題を解決するための手段】
【０００４】
前記のような目的を達成するため、本発明は、内部中央部のモータ収納部、及び上部及び下部の支持ブラケット収納部及び電源収納部を有し、内部上端部に一対の支持ピン支持片が設けられたケースと、前記ケースのモータ収納部に装着される電動モータと、前記ケースの電源収納部に装着され、電動モータに電源を供給する電源と、前記電動モータの回転軸に連結され、前記電動モータの回転運動を線形振動運動に変換するための手段と、中央部外周両側に、前記ケースの支持ピン支持片に支持される支持ピンが設けられ、前記変換手段により前記支持ピンを中心に線形シーソー運動する作動軸と、前面にパフ板が付着されたヘッド部の下部に、前記作動軸に着脱自在に結合される接続管部を有するパフヘッドとを含んでなる電動パフを提供する。
【発明の効果】
【０００５】
以上のような本発明は、柄形ケースの内部に取り付けられた電動モータに、駆動ギヤ、回転軸角度変換ギヤなどを介して作動軸をシーソー運動可能に結合し、作動軸の上端部にパフヘッドを結合して構成するか、又はケース内部に装着された電動モータの回転軸と、パフ板が連結された作動軸とを偏心部材を介して連結して構成したもので、本発明によると、人為的な力によらなくても、化粧品を均一な打撃力で化粧部位に定着させることができるので、より迅速で簡便に化粧が行えるだけでなく、化粧部位に化粧品を均等に定着させて化粧効率を大きく向上させることができる。
【発明を実施するための最良の形態】
【０００６】
以下、本発明を添付図面に基づいて詳細に説明する。
図１は本発明の第１実施例を示す斜視図、図２は本発明の第１実施例の要部分解斜視図、図３ａ及び図３ｂは本発明の第１実施例の要部縦断面図である。
【０００７】
本発明による電動パフは、一定打撃力で化粧部位に化粧品を定着させる電動パフ１であって、一対の前面体１１ａ、１１ｂと後面体１２からなり、手で握られる柄形に形成され、内部中央部にモータ収納部１３が設けられ、その上部及び下部に支持ブラケット収納部１４及び乾電池収納部１５が設けられ、内部上端部に一対の支持ピン支持片１６が設けられたケース１０と、前記ケース１０のモータ収納部１３に装着される電動モータ２０と、前記ケース１０の乾電池収納部１５に装着され、電動モータ２０に電源を供給する乾電池３０と、前記電動モータ２０の回転軸２１に結合される駆動ギヤ４０と、前記駆動ギヤ４０の一側と噛み合い、駆動ギヤ４０の回転軸方向を９０°だけ変換させ、内側面に、作動軸７０と結合されるカム軸５１が設けられ、回転中心ピン５２を介して支持ブラケット８０に回転自在に支持される回転軸角度変換ギヤ５０と、下端部に、前記回転軸角度変換ギヤ５０のカム軸５１が挿入される連結長孔７１が形成され、中央部外周には、ケース１０の支持ピン支持片１６に支持される支持ピン７２が設けられ、回転軸角度変換ギヤ５０の回転の際、支持ピン７２を中心にシーソー運動する作動軸７０と、前記ケース１０の支持ブラケット収納部１４に装着され、回転軸角度変換ギヤ５０を支持する支持ブラケット８０と、前面にパフ板９１が付着されたヘッド部９２の下部に、前記作動軸７０に着脱自在に結合される接続管部９３を有するパフヘッド９０とを含んでなるものである。
図面において、未説明符号６０はスペーサ、１００は作動スイッチである。
【０００８】
このように構成される本発明の第１実施例においては、ケース１０の上端部から突出する作動軸７０の先端部パフヘッド９０を結合し、ケース１０を片手で握った後、化粧品が付いたパフヘッド９０のパフ板９１を顔などの身体の所望化粧部位に接近させ、作動スイッチ１００を押して電動モータ２０を作動させると、一定の打撃力を有するパフ板９１が前後方向に振動して化粧部位に接触するので、化粧が簡便に行える。
【０００９】
前記電動モータ２０に電源が印加され、その回転軸２１及び駆動ギヤ４０が回転すると、駆動ギヤ４０の回転力が回転軸角度変換ギヤ５０に伝達され、回転軸角度変換ギヤ５０とともにカム軸５１が回転すると、連結長孔７１を介してカム軸５１に連結された作動軸７０がその中央部の支持ピン７２を中心に前後方向にシーソー運動するので、作動軸７０の上端部に結合されたパフヘッド９０が前後方向に振動することにより、パフヘッド９０のパフ板９１に付いた化粧品を簡便に化粧部位に定着させることができる。
一方、本発明の第１実施例において、パフヘッド９０は自由に取り替えることができるので、パウダー型、クリーム型、ジェリー型などの化粧品の種類に適合したパフヘッド９０を使用することができる。
【００１０】
図４及び図５は本発明の第２実施例を示すもので、パフ板９１が接続管部９３に連結されたパフヘッド９０に結合され、前記接続管部９３は、支持ピン７２を中心にシーソー運動する作動軸７０に着脱可能に結合され、前記作動軸７０の下端部には溝１０２が形成され、前記溝１０２と回転軸２１間には、電動モータ２０の駆動により偏心状態で回転することにより、作動軸７０をシーソー運動させてパフ板９１を前後方向に振動させる偏心部材が回転軸２１に結合されている。
前記偏心部材は、電動モータ２０の回転軸２１に結合される軸結合部１０３と、前記軸結合部１０３に伝達される電動モータ２０の駆動力により偏心状態で回転しながら溝１０２の内面に沿って移動して作動軸７０をシーソー運動させる偏心軸１０４とを含む。
以下の説明においては、本発明の第１実施例と同一部分に対しては重複説明を省略する。
【００１１】
このように構成される本発明の第２実施例の組立てにおいては、前記前面体１１ａ、１１ｂ及び後面体１２の内部に、回転軸２１を有する電動モータ２０を装着し、前記回転軸２１には偏心部材を介して作動軸９１を連結する。
言い換えれば、前記偏心部材は軸結合部１０３と偏心軸１０４からなるもので、前記軸結合部１０３は電動モータ２０の回転軸２１に結合し、前記偏心軸１０４は前記作動軸７０の下端部に形成された溝１０２に挿入させる。
【００１２】
つぎに、前記作動軸７０のシーソー運動を可能にするため、作動軸７０の中心部位を支持ピン７２で支持し、前記作動軸７０の上端部をパフヘッド９０に設けられた接続管部９３に差し込む。
ついで、前記パフヘッド９０にパフ板９１を結合させ、前記後面体１２の外面には、電動モータ２０を駆動させるための作動スイッチ１００を取り付ける。
その後、複数の前面体１１ａ、１１ｂに後面体１２を結合した後、前記前面体１１ａと後面体１２を結合ピン１０１で結合させる。
【００１３】
本発明の第２実施例の使用において、使用者が手で握られる柄形に形成された前面体１１ａ、１１ｂ及び後面体１２を握った状態で、前記パフヘッド９０に結合されたパフ板９１を顔などの所望身体部位に接近させ、前記後面体１２に設けられた作動スイッチ１００をオンさせる。
すると、前記作動スイッチ１００のオンにより、前面体１１ａ、１１ｂ及び後面体１２内に装着された電動モータ２０に乾電池３０からの電源が供給される。
前記電動モータ２０は乾電池３０からの電源供給により駆動し始め、前記電動モータ２０の回転軸２１が回転する。
この際、回転軸２１に結合された偏心部材の軸結合部１０３も前記回転軸２１とともに回転するので、前記軸結合部１０３の上面に形成された偏心軸１０４は回転軸２１に対して偏心回転運動を行う。
【００１４】
前記偏心軸１０４は前記溝１０２の内側面に沿って移動しながら偏心回転運動を行うので、前記偏心軸１０４の偏心回転運動により、支持ピン７２により中心部が旋回可能に固定された作動軸７０がシーソー運動を行い、前記作動軸７０の上端部に接続管部９３を介して結合されたパフヘッド９０とこのパフヘッド９０に結合されたパフ板９１は前記作動軸７０のシーソー運動により前後方向に振動することになる。
したがって、前記パフ板９１に付いた化粧品は、前記パフ板９１の前後方向への振動により、簡便に所望化粧部に定着される。
【００１５】
この実施例において、前記パフヘッド９０は、一体型に形成された接続管部９３が作動軸７０の上端部に着脱可能に結合されているので、パウダー型、クリーム型、ジェリー型などの化粧品の種類によってパフヘッド９０を自由に取り替えて使用することができる。
本発明は前述した実施例に限定されるものではなく、本発明の範囲内で多様に変形実施可能なものである。本発明が属する技術分野での通常の知識を持った者であれば、本発明の範囲内で多様な変形実施例が可能であろう。
【図面の簡単な説明】
【００１６】
【図１】本発明の第１実施例による電動パフの構造を示す斜視図である。
【図２】本発明の第１実施例による電動パフの要部分解斜視図である。
【図３ａ】本発明の第１実施例による電動パフのパフヘッドが前進した状態を示す縦断面図である。
【図３ｂ】本発明の第１実施例による電動パフのパフヘッドが後退した状態を示す縦断面図である。
【図４】本発明の第２実施例による電動パフのパフヘッドが後退した状態を示す縦断面図である。
【図５】本発明の第２実施例による電動パフのパフヘッドが前進した状態を示す縦断面図である。
【符号の説明】
【００１７】
１    電動パフ
１０    本体
１１ａ、１１ｂ    前面体
１２    後面体
１３    モータ収納部
１４    支持ブラケット収納部
１５    乾電池収納部
１６    支持ピン支持片
２０    電動モータ
２１    回転軸
３０    乾電池
４０    駆動ギヤ
５０    回転軸角度変換ギヤ
５１    カム軸
５２    回転中心ピン
７０    作動軸
７１    連結長孔
７２    支持ピン
８０    支持ブラケット
９０    パフヘッド
９１    パフ板
９２    ヘッド部
９３    接続管部
１００    作動スイッチ
１０１    結合ピン
１０２    溝
１０３    軸結合部
１０４    偏心軸
【図１】
2006034942.tif 000003
【図２】
2006034942.tif 000004
【図３ａ】
2006034942.tif 000005
【図３ｂ】
2006034942.tif 000006
【図４】
2006034942.tif 000007
【図５】
2006034942.tif 000008